(57)【要約】【課題】保冷室に予め保存された食品や保冷室外の食品にも影響を与えることなく、保冷室内において急冷や解凍、保湿等の各機能を切り替えできる冷蔵庫を提供する。【解決手段】冷蔵室の奥側に冷気噴出し口が設けられ、前記冷却装置からの低温冷気が流入する低温区画１０３と、低温区画１０３の中に設置された保冷室２００と、保冷室２００に設けられた冷気取り込みダンパー１および空気流出ダンパー２と、保冷室２０内の低温冷気を攪拌する攪拌ファン３とを備え、攪拌ファン３の運転／停止、冷気取り込みダンパー１および空気流出ダンパー２の開／閉の組み合わせにより、保冷室２００の機能を選択する。【選択図】図３
2011099650.tif 000002
【特許請求の範囲】
【請求項１】
開閉可能な扉を有する冷蔵室と、
前記冷蔵室を冷却する冷却装置と、
前記冷蔵室の奥側に冷気噴出し口が設けられ、前記冷却装置からの低温冷気が流入する低温区画と、
前記低温区画の中に設置され、略密閉可能に構成された保冷室と、
前記保冷室に少なくとも２個以上設けられた開口部と、
前記開口部の開閉あるいは開度を可変する開閉手段と、
前記保冷室の開口部を通して前記低温区画の低温冷気を前記保冷室内に流入させる送風手段とを備え、
前記送風手段の運転／停止、前記開閉手段の開／閉の組み合わせにより、前記保冷室の機能を選択することを特徴とする冷蔵庫。
【請求項２】
前記保冷室から低温冷気が流出する開口部は、前記低温区画以外の前記冷蔵室の扉側に設けられていることを特徴とする請求項１記載の冷蔵庫。
【請求項３】
前記送風手段の運転中に、前記保冷室から流出される低温冷気が前記冷蔵室の扉に設けられたポケットの一部に集中的に流れるように前記保冷室に開口部が設けられていることを特徴とする請求項１又は２記載の冷蔵庫。
【請求項４】
前記保冷室の内部と、前記保冷室内の低温冷気が流出する開口部近傍の前記冷蔵室の扉とに温度測定手段を設けて、それぞれに設定された温度になるようにしたことを特徴とする請求項１乃至３の何れかに記載の冷蔵庫。
【請求項５】
前記開閉手段の開閉あるいは開度と前記送風手段の運転／停止の操作部を前記保冷室の扉に設けたことを特徴とする請求項１乃至４の何れかに記載の冷蔵庫。
【請求項６】
前記操作部に指掛けハンドルを設け、該指掛けハンドルの操作により、前記送風手段の運転／停止、前記開閉手段の開／閉あるいは開度の組み合わせを選択できるようにしたことを特徴とする請求項５記載の冷蔵庫。
【請求項７】
前記送風手段は、保冷室と該保冷室の上方あるいは下方に配置された棚状部分との間に組み込まれていることを特徴とする請求項１乃至６の何れかに記載の冷蔵庫。
【請求項８】
前記保冷室内の平均気温が−１度から３度、あるいは０度から1度に設定されることを特徴とする請求項１乃至７の何れかに記載の冷蔵庫。
【発明の詳細な説明】
【技術分野】
【０００１】
本発明は、冷蔵庫の保冷室に係わり、さらに詳しくは、保冷室内において通常冷却、急冷、解凍および保湿の各機能を切り替え可能な冷蔵庫に関するものである。
【背景技術】
【０００２】
冷蔵庫に対して、所定の温度で食品を保存する機能だけではなく、通常よりも急速に冷却する機能、凍結した食材を解凍する機能、食品水分の喪失を防ぎつつ保存する機能、というような多機能化・高機能化が求められている。
【０００３】
そこで、従来、庫内の一部に急冷や解凍を行う部屋を備えた冷蔵庫が提案されている（例えば、特許文献１参照）。
また、開閉可能なダンパーを有する密閉容器を解凍のための部屋とする冷蔵庫が提案されている（例えば、特許文献２参照）。
さらに、急冷や解凍を行うためにヒーターを設けたり温度調節機構を設けて急冷解凍室の温度を上下させる冷蔵庫が提案されている（例えば、特許文献３参照）。
【先行技術文献】
【特許文献】
【０００４】
【特許文献１】特開昭６０−１１１８７３号公報（第３頁、第１図）
【特許文献２】特開昭５７−２８９６７号公報（第２頁、第２図）
【特許文献３】特許第３２５１２７５号公報（第４−５頁、第１図）
【発明の概要】
【発明が解決しようとする課題】
【０００５】
しかしながら、前述した特許文献１に記載の冷蔵庫では、急冷解凍室に導入される空気は冷蔵室を冷却する空気の一部をダンパーによって導入するようにしているため、急冷または解凍動作を行った場合、急冷解凍庫以外の部分の温度維持に影響が生じている。
また、特許文献２に記載の冷蔵庫では、冷蔵室内の攪拌と急冷解凍との切り換えが可能であるが、広い冷蔵室と急冷解凍室との温度が同一となるため、解凍後の食品温度が冷蔵室と同じ温度となり、品質低下が早くなる課題がある。
さらに、特許文献３に記載の冷蔵庫では、急冷解凍室の設定温度を変化させるため、予め急冷解凍室に保存している食品も、被急冷解凍食品とともに温度変化してしまい、品質が低下する可能性があった。即ち、急冷解凍室には専用の部屋とすることが必要となり、例えば急冷解凍を行うためには、該部屋から食品を取り出す必要があった。
【０００６】
本発明は、前記のような課題を解決するためになされたものであり、第１の目的は、保冷室に予め保存された食品や保冷室外の食品にも影響を与えることなく、保冷室内において急冷や解凍、保湿等の各機能を切り替えできる冷蔵庫を得るものである。
第２の目的は、保冷室近傍の区画にも低温冷気を供給できる冷蔵庫を得るものである。
【課題を解決するための手段】
【０００７】
本発明に係る冷蔵庫は、開閉可能な扉を有する冷蔵室と、冷蔵室を冷却する冷却装置と、冷蔵室の奥側に冷気噴出し口が設けられ、冷却装置からの低温冷気が流入する低温区画と、低温区画の中に設置され、略密閉可能に構成された保冷室と、保冷室に少なくとも２個以上設けられた開口部と、開口部の開閉あるいは開度を可変する開閉手段と、保冷室の開口部を通して低温区画の低温冷気を保冷室内に流入させる送風手段とを備え、送風手段の運転／停止、開閉手段の開／閉の組み合わせにより、保冷室の機能を選択するようにしたものである。
【発明の効果】
【０００８】
本発明においては、送風手段の運転／停止、開閉手段の開／閉の組み合わせにより、保冷室の機能を選択するようにしたので、保冷室内において急冷や解凍、保湿等の各機能を切り替えできるようになり、ユーザーの使い勝手がよく、食品を高品質に保存できる。
【図面の簡単な説明】
【０００９】
【図１】実施の形態１に係る冷蔵庫の冷蔵室および従来の冷蔵室の風路構成を比較して示す概略図である。
【図２】実施の形態１に係る冷蔵庫の各部屋の配置を示す模式図である。
【図３】実施の形態１の冷蔵庫における低温区画内の保冷室を示す模式図である。
【図４】実施の形態１の冷蔵庫における保冷室の各ダンパーの開／閉および攪拌ファンの運転／停止の組み合わせによる保冷室の機能を示す模式図である。
【図５】実施の形態１の冷蔵庫における急速解凍モード時の保冷室およびその周辺の高温区画を示す模式図である。
【図６】実施の形態１の冷蔵庫における急冷モード時の保冷室およびその周辺の高温区画と通風区画を示す模式図である。
【図７】図６の保冷室を開けた状態を示す断面図である。
【図８】実施の形態２に係る冷蔵庫の保冷室を示す正面および断面図である。
【図９】実施の形態３に係る冷蔵庫の保冷室を示す斜視図である。
【図１０】実施の形態３に係る冷蔵庫の保冷室を示す正面および断面図である。
【図１１】実施の形態３に係る冷蔵庫の保冷室の開閉状態を示す断面図である。
【発明を実施するための形態】
【００１０】
実施の形態１．
本発明の実施の形態１に係る冷蔵庫の風路構成について説明する。
図１は実施の形態１に係る冷蔵庫の冷蔵室および従来の冷蔵室の風路構成を比較して示す概略図である。なお、図中の（Ａ）は実施の形態１における冷蔵室の風路構成を示し、（Ｂ）は従来の冷蔵室の風路構成を示している。なお、冷凍室や野菜室などの風路は省略している。
【００１１】
従来の風路においては、（Ｂ）に示すように、冷蔵室に高温区画と低温区画が設けられており、高温区画には冷却装置からの高温冷気が流入し、低温区画には低温冷気が流入し、戻り風路を経て冷却装置に至る。また、従来の風路では、低温区画に流入した低温冷気のうち一部の低温冷気が高温区画に流れて高温冷気と共に戻り風路に流入し冷却装置に至る。なお、ここでは、高温冷気、低温冷気と記載しているが、必ずしも風温が異なるのではなく、風量を制御することによって、冷蔵室の一部に低温となる区画が形成される。例えば、高温区画を３度、低温区画を３度に設定し、低温区画と高温区画とは完全には分割されていないので、低温区画に流入した低温冷気のうち一部の低温冷気が高温区画を通過して戻り風路に至る。低温区画は、それ自体が特に密閉されていないため、後述の保冷室と同一とみなすことができる。
【００１２】
一方、本実施の形態の風路においては、（Ａ）に示すように、冷蔵室に高温区画と低温区画が設けられ、さらに、高温区画に通風区画が設けられ、低温区画の中に略密閉可能な保冷室が設けられている。その保冷室には、低温区画に流入した低温冷気が出入りする開口部である入口と出口、その入口と出口の開閉を制御可能なダンパー（開閉手段）が設けられている。そして、保冷室の出口から流出した低温冷気が高温区画内の通風区画へと導かれるように風路が構成されている。また、図示していないが、保冷室に流入した低温冷気を攪拌する送風手段（攪拌ファン）が保冷室の流入側、保冷室の内部、あるいは保冷室の流出側の何れかに設けられている。
【００１３】
冷却装置からの高温冷気は、高温区画および通風区画を通って戻り風路に流入し、冷却装置からの低温冷気は、保冷室の入口と出口が閉じているとき、低温区画を通って戻り風路に流入する。また、低温冷気は、保冷室の入口と出口が開いているとき、保冷室を通って通風区画に流れて高温冷気と共に戻り風路に流入する。
【００１４】
次に、前述した本実施の形態における冷蔵室の風路構成を冷蔵庫に適用した場合の位置関係について図２を用いて説明する。
図２は実施の形態１に係る冷蔵庫の各部屋の配置を示す模式図である。なお、図中の（Ａ）は冷蔵庫の扉を外して示し、（Ｂ）は冷蔵庫の側面を切断して示している。
冷蔵庫の本体１０１には、冷蔵室１０２、低温区画１０３、タマゴ室１０４、製氷室１０５、切替室１０６、冷凍室１０７、野菜室１０８などが配置され、扉１１３側には通風区画１１４が設けられている。各部屋は、温度測定手段であるサーミスタなどによって送風が制御され、所定の温度や湿度に設定されている。冷気は、空気が熱交換器１０９によって熱交換されてファン１１０から送出されたもので、冷気風路１１１を通って適宜設けられたダンパーにより制御され、各部屋へと分配される。各部屋の冷却に用いられる冷気は、各々独立して、あるいは別の部屋の冷却のために用いられてから戻り風路１１２へと導かれ、再び熱交換器１０９により冷却される。
【００１５】
次に、低温区画１０３について図３を用いて説明する。
図３は実施の形態１の冷蔵庫における低温区画内の保冷室を示す模式図である。
低温区画１０３には、チルド底面７とチルド天面８との間に、前述の保冷室２００が設けられている。この保冷室２００は、低温冷気の入口（開口部）を開閉する冷気取り込みダンパー１（開閉手段）と、低温冷気の出口（開口部）を開閉する空気流出ダンパー２と（開閉手段）、保冷室２００内の低温冷気を攪拌する攪拌ファン３（送風手段）と、食品トレイ４とで構成されている。なお、攪拌ファン３を保冷室２００内に配置しているが、ダンパー近傍の保冷室２００外に設置しても良い。また、攪拌ファン３としたが、保冷室２００内の空気風速を通常よりも早めることによって、保冷室２００内に置かれた食品と空気との熱伝達効率を高めることができる構成であれば、攪拌ファン３に限定されるものではない。例えばブロア、ポンプ、空気を振動させる振動板、イオン風発生器などの何れを用いても良い。
【００１６】
また、低温区画１０３には、食品トレイ４とチルド底面７との間に間接冷却風路５が設けられ、冷蔵室の奧側の壁面には低温冷気を低温区画１０３内に導入させる冷気噴出し口６が設けられている。前述の間接冷却風路５は、冷気取り込みダンパー１と空気流出ダンパー２が閉じられているときに、冷気噴出し口６からの低温冷気を通過させて低温区画１０３外へと流出する。
【００１７】
次に、本実施の形態における保冷室の機能について図４を用いて説明する。
図４は実施の形態１の冷蔵庫における保冷室の各ダンパーの開／閉および攪拌ファンの運転／停止の組み合わせによる保冷室の機能を示す模式図である。
保冷室２００は、冷気取り込みダンパー１と空気流出ダンパー２の開／閉および攪拌ファン３の運転／停止の組み合わせによって、４つの機能を備えている。
（１）各ダンパー１，２を開放し、攪拌ファン３を停止しているときには、低温冷気が保冷室２００内に流入し、食品トレイ４上の食品を冷却して保冷室から流出し、低温区画１０３外へ流れる。この場合は、食品トレイ４上の食品を通常に冷却する（通常チルド）。
（２）各ダンパー１，２を閉鎖し、攪拌ファン３を運転しているときには、低温冷気が直接保冷室２００内に入らず、間接冷却風路５を通って低温区画１０３外へ流れる。一方、密閉された保冷室２００内の冷気は攪拌ファン３により攪拌される。この場合は、凍結した食品を急速に解凍することができる（急速解凍モード）。食品が解凍するにつれて保冷室２００内の気温が低下するが、食品トレイ４などの構成部品からの伝熱により間接冷却風路５を介してほぼ一定温度に保たれる。
（３）各ダンパー１，２を開放し、攪拌ファン３を運転しているときには、低温冷気が保冷室２００内に流入して攪拌され、食品トレイ４上の食品を急速冷却して保冷室２００から流出し、低温区画１０３外へ流れる。この場合は、最も冷却効率が高いために、食品の急速冷却が可能である（急冷モード）。
（４）各ダンパー１，２を閉鎖し、攪拌ファン３を停止しているときには、低温冷気が保冷室２００内に入らず、間接冷却風路５を通って低温区画１０３外へ流れる。この場合は、気流が最も少ない状態となり、食品の温度変化も少なくすることができて、ラップや容器に入れていない食品からの水分喪失を抑制することができる（保湿モード）。
【００１８】
このように、保冷室２００内の機能を各ダンパー１，２の開／閉と攪拌ファン３の運転／停止との組み合わせにより、保冷室２００の温度設定を変更することなく、前述した機能を選択できる。実施の形態１においては、保冷室２００の温度設定は、冷蔵保存を目的としていることから、食品が凍結せず、かつ、冷蔵室の他の区画よりも低温であることが望ましいことから、室温が−１度から３度、あるいは精密に制御可能であれば０度から１度の間になるように制御されている。
【００１９】
このような保冷室２００を構成した上で、保冷室２００から流出する低温冷気について図５、図６を用いて説明する。
図５は実施の形態１の冷蔵庫における急速解凍モード時の保冷室およびその周辺の高温区画を示す模式図、図６は実施の形態１の冷蔵庫における急冷モード時の保冷室およびその周辺の高温区画と通風区画を示す模式図である。
【００２０】
まず、図５に示す保冷室２００は、前述したように、各ダンパー１，２を閉鎖し、攪拌ファン３を運転させたときの急速解凍モード時の状態を示している。その攪拌ファン３は、保冷室２００のチルド天面８の上部に設置されている。この場合、前述したように低温冷気は、低温区画１０３に入った後、間接冷却風路５を通って高温区画に流出する。一方、図６に示す保冷室２００は、各ダンパー１，２を開放し、攪拌ファン３を運転しているときの急冷モード時の状態を示している。この場合、低温冷気は、保冷室２００内に流入して攪拌されると共に、開閉可能な扉１１３側に流出し、扉１１３のポケット１１５付近の通風区画１１４に流れる。この時、保冷室２００からの低温冷気により、通風区画１１４に流れる冷気の速度が速くなるので、ポケット１１５内の食品の冷却を早めることができる。通風区画１１４は、低温区画１０３から離れた位置であるため、保冷室２００よりも高温になっている区画である。なお、図５、図６に示す攪拌ファン３の設置場所は、一例であって限定されるものではない。
【００２１】
以上のように実施の形態１によれば、各ダンパー１，２の開／閉と攪拌ファン３の運転／停止との組み合わせにより、保冷室２００の温度設定を変更することなく、保冷室２００の通常チルド、急速解凍、急冷、保湿の何れかを選択できる。これにより、使用者にとって使い勝手が良く、食品を高品質に保存できる。
また、保冷室２００の急冷解凍時や急冷時に低温冷気が間接冷却風路５を介して冷蔵室の扉１１３側の通風区画１１４に流れるようにしているので、通風区画１１４内のポケットの食品も解凍や急冷を行うことができる。
さらに、通風区画１１４に流れた低温冷気により、冷蔵室の扉１１３付近から奧側に向かう気流が発生して冷蔵室内の冷気を攪拌するので、攪拌ファン３を動作させることによって冷蔵室内の冷気の澱みを解消することができる。
【００２２】
実施の形態１においては、図７に示すように、保冷室２００内の食品を出し入れする際に、冷蔵室の扉１１３を開けた状態で食品トレイ４を引き出す。その場合、低温冷気の流入を止めるようにしても良い。但し、保冷室２００に温度の高い被冷却物が入れられた場合、直ちに冷却するために、保冷室２００の閉鎖直後には低温冷気を流入させて食品を冷却するようにする。このため、図示していないが、保冷室２００内の気温を測定するサーミスタを設け、所定温度になるように各ダンパー１，２と攪拌ファン３を制御する。
【００２３】
実施の形態２．
図８は実施の形態２に係る冷蔵庫の保冷室を示す正面および断面図である。実施の形態２の冷蔵庫における保冷室２００は、チルド底面７およびチルド天面８の間に設けられた上面開口の食品トレイ４と、食品トレイ４の側面のうち冷蔵室の扉１１３側の前側面に回転自在に取り付けられた軸部１１と、軸部１１に連結された指掛けハンドル１２と、食品トレイ４の前側面の上部に設けられた空気流出ダンパー２と、食品トレイ４の前側面に対向する後側面の上部に設けられた冷気取り込みダンパー１と、各ダンパー１，２を開閉するためのトルク伝達部１３と、攪拌ファン（図示せず）のファンスイッチ１４をオン／オフするためのトルク伝達部１４ａとで構成されている。
【００２４】
前述の軸部１１は、軸心方向に配置されたトルク伝達部１３，１４ａと着脱可能に連結され、指掛けハンドル１２の回転角に応じてトルク伝達部１３，１４ａを機械的に上下方向に動作させるように構成されている。また、軸部１１は、食品トレイ４が冷蔵室の扉１１３側に引き出されるときトルク伝達部１３，１４ａが切り離され、その食品トレイ４を所定位置まで戻されたときにはトルク伝達部１３，１４ａと連結するように構成されている。
【００２５】
（１）指掛けハンドル１２で解凍（急速解凍モード）を選択したときには、そのハンドル１２と連動する軸部１１の回転角に応じて各ダンパー１，２が閉じると共に、ファンスイッチ１４をオンする。この場合、保冷室２００内の冷気が攪拌ファン（図示せず）により攪拌され、冷気噴出し口（図示せず）からの低温冷気は、保冷室２００とチルド底面７との間の間接冷却風路５を通って低温区画１０３外へ流れる。
（２）指掛けハンドル１２で保湿（保湿モード）を選択したときには、各ダンパー１，２が閉じると共に、ファンスイッチ１４をオフする。この場合、低温冷気は、保冷室２００とチルド底面７との間の間接冷却風路５を通って低温区画１０３外へ流れる。
（３）指掛けハンドル１２で急冷（急冷モード）を選択したときには、各ダンパー１，２が開くと共に、ファンスイッチ１４をオンする。この場合、低温冷気は、保冷室２００内に流入し、攪拌ファンにより攪拌されながら低温区画１０３外へ流れる。
（４）指掛けハンドル１２により通常・開閉（通常チルド）を選択したときには、各ダンパー１，２が開くと共に、ファンスイッチ１４をオフする。この場合、低温冷気は、保冷室２００内に流入し、そして、保冷室２００内から流出して低温区画１０３外へ流れる。この時、軸部１１は、トルク伝達部１３，１４ａから切り離され、食品トレイ４のロックを外して開閉可能状態となる。
【００２６】
以上のように実施の形態２においては、指掛けハンドル１２に連結された軸部１１とトルク伝達部１３，１４ａとの機構により、各ダンパー１，２の開／閉と攪拌ファン３の運転／停止との組み合わせを選択できるようにした。これにより、保冷室２００の温度設定を変更することなく、保冷室２００の通常チルド、急速解凍、急冷、保湿の何れかを選択できるようになり、使用者にとって使い勝手の良い保冷室２００を提供できる。
【００２７】
なお、実施の形態２では、各ダンパー１，２を食品トレイ４の上部に設け、その形状を保冷室２００の幅方向に延びる長方形状としたが、保冷室２００として十分な機能の切り替えが可能であれば、各ダンパー１，２の位置、大きさ、開口角度、開口方向は、限定されるものではない。
【００２８】
実施の形態３．
図９は実施の形態３に係る冷蔵庫の保冷室を示す斜視図、図１０は実施の形態３に係る冷蔵庫の保冷室を示す正面および断面図、図１１は実施の形態３に係る冷蔵庫の保冷室の開閉状態を示す断面図である。
【００２９】
実施の形態３の冷蔵庫における保冷室２００は、外観が箱状に形成された前面開口のケース２１と、ケース２１の前面開口を開閉する扉２２と、扉２２に連結された上面開口の食品トレイ４と、扉２２に回動自在に取り付けられた軸部２３と、軸部２３を支点として扉２２の前面に取り付けられた指掛けハンドル２４と、ケース２１の上面にダンパー軸２５を中心として回動自在に取り付けられたロータリーダンパー２６と、軸部２３に着脱可能に連結され、指掛けハンドル２４の回転角に応じてロータリーダンパー２６の回転方向（９０度）をダンパー軸２５を介して変えるトルク伝達部２７と、ケース２１内の上部側に設置された攪拌ファン３とを備えている。攪拌ファン３は、指掛けハンドル２４により、急冷あるいは解凍の何れかが選択されたときに回転するように構成されている。
【００３０】
前述のロータリーダンパー２６は、円形状に形成されたロータリー板２６ａと、ロータリー板２６ａに軸心上を直交するように取り付けられた長方形状のダンパー２６ｂとで構成されている。そのロータリー板２６ａには、ダンパー２６ｂの両側に配置された一対の穴２６ｃが設けられている。ケース２１の上面には、ロータリーダンパー２６のダンパー２６ｂが冷気噴出し口６からの低温冷気の方向に対して直交するように向けられたときに、ロータリー板２６ｂの一対の穴２６ｃと連通する冷気取り込み口および空気流出口が設けられている。
【００３１】
トルク伝達部２７は、図１０（Ｂ）に示すように、軸部２３の回転角、即ち指掛けハンドル２４の回転角に応じてダンパー軸２５と連結し、回転トルクを与えるように構成されている。また、指掛けハンドル２４により開閉が選択された場合には、図１１（Ａ）（Ｂ）に示すように、保冷室２００のロックが外れて開閉可能になるように指掛けハンドル２４の軸部２３とトルク伝達部２７が構成されている。
【００３２】
（１）指掛けハンドル２４により開閉を選択したときには、前述したように扉２２のロックを外して開閉可能状態となる。
（２）指掛けハンドル２４で急冷（急冷モード）を選択したときには、図９（Ｂ）に示すようにロータリーダンパー２６が９０度回転して、ロータリー板２６ｂの一方の穴２６ｃと冷気取り込み口１ａ、他方の穴２６ｃと空気流出口２ａがそれぞれ連通状態となり、攪拌ファン３を回転させる。この場合、冷気噴出し口６からの低温冷気は、ロータリーダンパー２６のダンパー２６ｂに当たって一方の穴２６ｃから保冷室２００内に流入し、攪拌ファン３により攪拌されながら他方の穴２６ｃから流出して低温区画１０３外へ流れる。
（３）指掛けハンドル２４で解凍（急速解凍モード）を選択したときには、図９（Ａ）に示すようにロータリーダンパー２６を回転させることなく、攪拌ファン３を回転させる。この場合、保冷室２００内の冷気が攪拌ファン３により攪拌され、冷気噴出し口６からの低温冷気は、保冷室２００とチルド天面８との間の間接冷却風路５を通って低温区画１０３外へ流れる。
（４）指掛けハンドル２６により通常（通常チルド）を選択したときには、攪拌ファン３を回転させることなく、図９（Ｂ）に示すようにロータリーダンパー２６が９０度回転して保冷室２００の冷気取り込み口１ａと空気流出口２ａを開く。この場合、冷気噴出し口６からの低温冷気は、ロータリーダンパー２６のダンパー２６ｂに当たって一方の穴２６ｃから保冷室２００内に流入し、そして、他方の穴２６ｃから流出して低温区画１０３外へ流れる。
【００３３】
このように構成することによって、間接冷却風路５が保冷室２００とチルド天面８との間に設けられており、間接冷却風路５がチルド天面８の高温区画と接するために、冷蔵室の扉１１３側に吹き出すまでに低温冷気の温度を上げることができる。従って、冷蔵室の扉１１３側の通風区画１１４は、保冷室２００内よりも高温にすることができ、急冷する場合には凍結の懸念がなく、また、解凍に用いる場合には、より短時間での解凍が可能となる。
【産業上の利用可能性】
【００３４】
本発明によって、室内の風速を可変として急冷解凍機能を有する保冷室２００を設けた冷蔵庫において、前述した４つの機能を容易に切り替えられるとともに、冷蔵室の扉１１３側に設けられた、保冷室２００よりも高温区画においても急冷解凍機能を持たせることが可能であり、より多機能で便利な冷蔵庫を提供できる。
【符号の説明】
【００３５】
１  冷気取り込みダンパー、２  空気流出ダンパー、３  攪拌ファン、４  食品トレイ、５  間接冷却風路、６  冷気噴き出し口、７  チルド底面、８  チルド天面、１１  軸部、１２  指掛けハンドル、１３，１４ａ  トルク伝達部、１４  ファンスイッチ、
２１  ケース、２２  扉、２３  軸部、２４  指掛けハンドル、２５  ダンパー軸、
２６  ロータリーダンパー、２６ａ  ロータリー板、２６ｂ  ダンパー、２６ｃ  穴、
２７  トルク伝達部、１０１  本体、１０２  冷蔵室、１０３  低温区画、１０４  卵室、１０５  製氷室、１０６  切替室、１０７  冷凍室、１０８  野菜室、１０９  熱交換器、１１０  ファン、１１１  冷気風路、１１２  戻り風路、１１３  扉、１１４  通風区画、２００  保冷室。
【図１】
2011099650.tif 000003
【図２】
2011099650.tif 000004
【図３】
2011099650.tif 000005
【図４】
2011099650.tif 000006
【図５】
2011099650.tif 000007
【図６】
2011099650.tif 000008
【図７】
2011099650.tif 000009
【図８】
2011099650.tif 000010
【図９】
2011099650.tif 000011
【図１０】
2011099650.tif 000012
【図１１】
2011099650.tif 000013